(57)【要約】【課題】視聴者にＴＶ番組を視聴させるとともにスポンサによるＣＭを確実に視聴させることが可能な広告表示装置を提供する。【解決手段】ＣＰＵ３０１は、指令受信部４０より記録されたコンテンツを再生する旨の指令信号Ｒ２を受けた場合、外部記憶装置３０４に記憶されたコンテンツのＴＶ放送信号Ｓ１を読み込み、読み込んだＴＶ放送信号Ｓ１に含まれる映像信号Ｓ２および音声信号ＳＯをＡＶデコーダ５０へ出力する。ＣＰＵ３０１は、指令受信部４０より現在再生しているコンテンツを早送り再生する旨の指令信号Ｒ３を受けた場合、読み込んだＴＶ放送信号Ｓ１に含まれる宣伝広告信号ＣＭ２をＡＶデコーダ６０へ出力する。これにより、コンテンツの再生時には大型表示装置にコンテンツが表示され、コンテンツの早送り再生時には小型表示装置にスポンサの宣伝広告が表示される。【選択図】        図１２
2004159005.tif 000002
【特許請求の範囲】
【請求項１】
番組情報、コマーシャル情報および広告情報を含むテレビジョン放送信号を受信する広告表示装置であつて、
テレビジョン放送信号を受信する受信手段と、
前記受信手段により受信されたテレビジョン放送信号に含まれる番組情報、コマーシャル情報および広告情報を記憶する記憶手段と、
第１の表示画面および第２の表示画面を有する表示手段と、
番組またはコマーシャルの再生を指令する再生指令手段と、
前記再生指令手段による再生の指令に応答して前記記憶手段に記憶される前記番組情報および前記コマーシャル情報を順次読み出して前記第１の表示画面に表示させ、前記番組情報が前記第１の表示画面に表示されかつ前記コマーシャル情報が前記第１の表示画面に表示されなかった場合に前記記憶手段に記憶された前記広告情報を読み出して前記第２の表示画面に表示させる制御手段とを備えたことを特徴とする広告表示装置。
【請求項２】
番組またはコマーシャルの早送りを指令する早送り指令手段をさらに備え、
前記制御手段は、前記早送り指令手段による早送りの指令に応答して前記記憶手段に記憶された前記番組情報または前記コマーシャル情報を読み飛ばすとともに、前記コマーシャル情報が読み飛ばされた場合に前記記憶手段に記憶された前記広告情報を読み出して前記第２の表示画面に表示させることを特徴とする請求項１記載の広告表示装置。
【請求項３】
前記広告情報は、ネットワーク上のアドレスを指定するアドレス情報を含み、
前記第２の表示画面に表示された広告情報に含まれるアドレス情報に基づいて前記ネットワーク上のアドレスに接続する接続手段をさらに備えたことを特徴とする請求項１または２記載の広告表示装置。
【請求項４】
前記表示手段は、前記第１の表示画面を有する第１の表示装置および前記第２の表示画面を有する第２の表示装置を含むことを特徴とする請求項１〜３のいずれかに記載の広告表示装置。
【請求項５】
前記表示手段は、前記第１の表示画面を有する表示装置を含み、前記第１の表示画面の一部領域に前記第２の表示画面が形成されることを特徴とする請求項１〜３のいずれかに記載の広告表示装置。
【請求項６】
番組情報、コマーシャル情報および広告情報を含むテレビジョン放送信号を受信する広告表示方法であつて、
テレビジョン放送信号を受信するステップと、
受信されたテレビジョン放送信号に含まれる番組情報、コマーシャル情報および広告情報を記憶するステップと、
番組またはコマーシャルの再生を指令するステップと、
再生の指令に応答して記憶される前記番組情報および前記コマーシャル情報を順次読み出して第１の表示画面に表示させ、前記番組情報が前記第１の表示画面に表示されかつ前記コマーシャル情報が前記第１の表示画面に表示されなかった場合に前記記憶手段に記憶された前記広告情報を読み出して第２の表示画面に表示させるステップとを備えたことを特徴とする広告表示方法。
【請求項７】
番組情報、コマーシャル情報および広告情報を含むテレビジョン放送信号を受信するコンピュータ読み取り可能な広告表示プログラムであつて、
テレビジョン放送信号を受信する処理と、
受信されたテレビジョン放送信号に含まれる番組情報、コマーシャル情報および広告情報を記憶する処理と、
番組またはコマーシャルの再生を指令する処理と、
再生の指令に応答して記憶される前記番組情報および前記コマーシャル情報を順次読み出して第１の表示画面に表示させ、前記番組情報が前記第１の表示画面に表示されかつ前記コマーシャル情報が前記第１の表示画面に表示されなかった場合に前記記憶手段に記憶された前記広告情報を読み出して第２の表示画面に表示させる処理とを、前記コンピュータに実行させることを特徴とする広告表示プログラム。
【発明の詳細な説明】
【０００１】
【発明の属する技術分野】
本発明は、テレビジョン放送において放映される宣伝広告を表示する広告表示装置、広告表示方法および広告表示プログラムに関する。
【０００２】
【従来の技術】
テレビジョン（以下、ＴＶと略記する。）放送の各社放送局は、視聴者またはＴＶ番組提供者であるスポンサから得られる運営資金によりＴＶ番組を放映する。
【０００３】
ＴＶ放送の各社放送局の中でも、民間放送を行う民営放送局は、各種ＴＶ番組のスポンサから得られる運営資金によりＴＶ番組を放映する。そして、民営放送局により放映されるＴＶ番組は無償で視聴者に提供される。この場合、各種ＴＶ番組のスポンサは、民営放送局にＴＶ番組の提供を行うとともに、コマーシャル（以下、ＣＭと略記する。）等の宣伝広告を自己の提供するＴＶ番組の途中またはＴＶ番組間に挿入させる。
【０００４】
このようなＴＶ放送の放送形態によれば、視聴者は、民間放送のＴＶ番組を視聴する際に、必然的にスポンサのＣＭも視聴することとなる。一方、各種ＴＶ番組のスポンサは、視聴者に対して効果的な宣伝広告を行うことができる。
【０００５】
ところで、近年、ＴＶ放送を受信および出力するオーディオビジュアル（以下、ＡＶと略記する。）機器の分野においては、ＴＶ放送のＴＶ番組を記録し、ＴＶ番組の放映時間に関わらず自由に再生して視聴することが可能な記録媒体および記録媒体駆動装置が普及している。
【０００６】
上記の記録媒体としては、例えば、ビデオテープがある。そして、ビデオテープを再生する記録媒体駆動装置としてビデオデッキがある。ビデオデッキには、ビデオテープを再生する上で様々な機能が付加されている。例えば、ビデオテープに記録されたＴＶ番組の早送り再生機能や巻き戻し再生機能等である。その他の記録媒体として、ハードディスク、ＤＶＤ（デジタル・バーサタイル・ディスク：Ｄｉｇｉｔａｌ    Ｖｅｒｓａｔｉｌｅ  Ｄｉｓｋ）−Ｒ（レコーダブル：Ｒｅｃｏｒｄａｂｌｅ）または、ＤＶＤ−ＲＡＭ（ランダム・アクセス・メモリ：Ｒａｎｄｏｍ  Ａｃｃｅｓｓ  Ｍｅｍｏｒｙ）等の板状の記録媒体等もある。
【０００７】
ここで、以下の説明において、スキップとはビデオテープに記録された映像信号の一部を飛び越して（省略して）再生することをいい、スキップ時において、視聴者は映像を得ることはできない。また、早送りとはビデオテープに記録された映像信号の一部を断片的に省略して再生することをいい、早送り時において、視聴者は連続的に再生状態となった映像を得ることができる。
【０００８】
視聴者は、ビデオテープに記録されたＴＶ番組を視聴したい場合、そのビデオテープをビデオデッキにより再生する。これにより、視聴者は、ビデオテープに記録されたＴＶ番組をＴＶ受像機等を通じて視聴することができる。この場合、視聴者は、上記のようなビデオデッキの有する各種機能を用いることにより、記録されたＴＶ番組を自己の好みに応じて視聴することができる。
【０００９】
例えば、視聴者は、記録されたＴＶ番組を視聴している際にスポンサのＣＭが挿入されるとビデオデッキの有する早送り再生機能を用いてＣＭ部分をスキップまたは早送りすることができる。このように、視聴者はビデオテープおよびビデオデッキ等の記憶媒体および記録媒体駆動装置を用いることにより、自己の好みに応じたＴＶ番組の視聴形態を得ることができる。
【００１０】
【特許文献１】
特開平０８−２３５６７６号公報
【００１１】
【発明が解決しようとする課題】
以上に示すように、視聴者は、早送り再生機能を有するビデオデッキを用いた場合、記録されたＴＶ番組を視聴する際にＣＭ部分をスキップまたは早送りする傾向が多い。この要因としては、ＴＶ番組に挿入されるスポンサのＣＭが視聴者にとって興味のないものであったり、視聴者がＴＶ番組の内容に熱中するあまりＣＭを見る気がなくなったりすること等が推測される。
【００１２】
このような視聴者の視聴形態に乗じて、記録されたＴＶ番組の再生時に自動的にＣＭ部分を感知し、早送り再生することができるビデオデッキも開発されている。
【００１３】
一方で、視聴者のビデオテープおよびビデオデッキ等を用いた視聴形態によれば、各種ＴＶ番組のスポンサは、自社のＣＭがスキップまたは早送りされるので視聴者に対して効果的な宣伝広告を行うことができなくなる。
【００１４】
近年においては、ＴＶ放送のデジタル化によりデジタルＴＶ放送によるＴＶ番組の提供が盛んに行なわれている。そして、デジタルＴＶ放送を受信および出力するＡＶ機器の分野においても、デジタルＴＶ放送によるＴＶ番組をハードディスクドライブ等の記憶装置に記憶し、記憶したＴＶ番組を再び出力する機能を有した記録媒体駆動装置も開発されている。
【００１５】
また、ＴＶ放送のデジタル化とともに、デジタルＴＶ放送により放送されたＴＶ番組をハードディスクドライブ等に自動的に記憶し、視聴者の都合により必要なＴＶ番組だけを選んで視聴させるという蓄積放送サービスも案出されている。
【００１６】
ＴＶ放送のデジタル化は、今後、加速度的に普及すると考えられるが、これにともない、視聴者は、ハードディスクドライブ等の記憶装置のランダムアクセス性によりさらに自己の好みに応じたＴＶ番組の視聴形態を得ることができると想定される。そして、この場合においても、各種ＴＶ番組のスポンサによるＣＭはスキップまたは早送りされる傾向があると考えられている。
【００１７】
本発明の目的は、視聴者にＴＶ番組を視聴させるとともにスポンサによるＣＭを確実に視聴させることが可能な広告表示装置、広告表示方法および広告表示プログラムを提供することである。
【００１８】
【課題を解決するための手段】
第１の発明に係る広告表示装置は、番組情報、コマーシャル情報および広告情報を含むテレビジョン放送信号を受信する広告表示装置であつて、テレビジョン放送信号を受信する受信手段と、受信手段により受信されたテレビジョン放送信号に含まれる番組情報、コマーシャル情報および広告情報を記憶する記憶手段と、第１の表示画面および第２の表示画面を有する表示手段と、番組またはコマーシャルの再生を指令する再生指令手段と、再生指令手段による再生の指令に応答して記憶手段に記憶される番組情報およびコマーシャル情報を順次読み出して第１の表示画面に表示させ、番組情報が第１の表示画面に表示されかつコマーシャル情報が第１の表示画面に表示されなかった場合に記憶手段に記憶された広告情報を読み出して第２の表示画面に表示させる制御手段とを備えたものである。
【００１９】
第１の発明に係る広告表示装置においては、テレビジョン放送信号が受信手段により受信され、受信されたテレビジョン放送信号に含まれる番組情報、コマーシャル情報および広告情報が記憶手段により記憶される。テレビジョン放送信号に基づく番組またはコマーシャルの再生が再生指令手段により指令され、再生の指令により記憶手段に記憶される番組情報およびコマーシャル情報が順次読み出される。読み出された番組情報およびコマーシャル情報は第１の表示画面に表示される。番組情報が第１の表示画面に表示されかつコマーシャル情報が第１の表示画面に表示されなかった場合、記憶手段に記憶された広告情報が制御手段により第２の表示画面に表示される。
【００２０】
これにより、視聴者が記録した番組情報に基づく番組を視聴している際に、コマーシャル情報に基づくコマーシャルをスキップまたは早送りした場合でも広告情報が表示されるので、番組のスポンサは確実に自社の広告を視聴者に提示することができる。また、番組のスポンサは第２の表示画面に表示される広告情報の表示形態を自由に決定できるので、より効果的な自社広告を行うことができる。さらに、デジタル放送による蓄積放送が、より効果的に行われる。
【００２１】
番組またはコマーシャルの早送りを指令する早送り指令手段をさらに備え、制御手段は、早送り指令手段による早送りの指令に応答して記憶手段に記憶された番組情報またはコマーシャル情報を読み飛ばすとともに、コマーシャル情報が読み飛ばされた場合に記憶手段に記憶された広告情報を読み出して第２の表示画面に表示させてもよい。
【００２２】
この場合、番組またはコマーシャルの早送りが早送り指令手段により指令されると、早送りの指令により記憶手段に記憶された番組情報またはコマーシャル情報が読み飛ばされる。コマーシャル情報が読み飛ばされた場合、記憶手段に記憶された広告情報が制御手段により読み出され、第２の表示画面に表示される。
【００２３】
これにより、視聴者が記録した番組を視聴している際に、コマーシャルをスキップまたは早送りした場合でも広告情報が表示されるので、番組のスポンサは確実に自社の広告を視聴者に提示することができる。また、視聴者はコマーシャルの早送りにより番組に挿入されるコマーシャルのストレスを感じることなく番組を楽しむことができる。
【００２４】
広告情報は、ネットワーク上のアドレスを指定するアドレス情報を含み、第２の表示画面に表示された広告情報に含まれるアドレス情報に基づいてネットワーク上のアドレスに接続する接続手段をさらに備えてもよい。
【００２５】
この場合、接続手段により広告情報に含まれるアドレス情報に基づいたネットワーク上のアドレスに接続される。これにより、視聴者は、第２の表示画面に表示された広告情報についての詳細を知りたい場合、ネットワークを介して各社の詳細な情報を得ることが可能である。
【００２６】
表示手段は、第１の表示画面を有する第１の表示装置および第２の表示画面を有する第２の表示装置を含んでもよい。これによりＴＶ番組を第１の表示装置の第１の表示画面に表示でき、広告情報を第２の表示装置の第２の表示画面に表示できる。
【００２７】
表示手段は、第１の表示画面を有する表示装置を含み、第１の表示画面の一部領域に第２の表示画面が形成されてもよい。これにより、第１および第２の画面毎に表示装置を設ける必要がないので、省スペース化が実現される。
【００２８】
第２の発明に係る広告表示方法は、番組情報、コマーシャル情報および広告情報を含むテレビジョン放送信号を受信する広告表示方法であつて、テレビジョン放送信号を受信するステップと、受信されたテレビジョン放送信号に含まれる番組情報、コマーシャル情報および広告情報を記憶するステップと、番組またはコマーシャルの再生を指令するステップと、再生の指令に応答して記憶される番組情報およびコマーシャル情報を順次読み出して第１の表示画面に表示させ、番組情報が第１の表示画面に表示されかつコマーシャル情報が第１の表示画面に表示されなかった場合に記憶手段に記憶された広告情報を読み出して第２の表示画面に表示させるステップとを備えたものである。
【００２９】
第２の発明に係る広告表示方法においては、テレビジョン放送信号が受信され、受信されたテレビジョン放送信号に含まれる番組情報、コマーシャル情報および広告情報が記憶される。テレビジョン放送信号に基づく番組またはコマーシャルの再生が指令され、再生の指令により記憶される番組情報およびコマーシャル情報が順次読み出される。読み出された番組情報およびコマーシャル情報は第１の表示画面に表示される。番組情報が第１の表示画面に表示されかつコマーシャル情報が第１の表示画面に表示されなかった場合、記憶された広告情報が第２の表示画面に表示される。
【００３０】
これにより、視聴者が記録した番組情報に基づく番組を視聴している際に、コマーシャル情報に基づくコマーシャルをスキップまたは早送りした場合でも広告情報が表示されるので、番組のスポンサは確実に自社の広告を視聴者に提示することができる。また、番組のスポンサは第２の表示画面に表示される広告情報の表示形態を自由に決定できるので、より効果的な自社広告を行うことができる。さらに、デジタル放送による蓄積放送が、より効果的に行われる。
【００３１】
第３の発明に係る広告表示プログラムは、番組情報、コマーシャル情報および広告情報を含むテレビジョン放送信号を受信するコンピュータ読み取り可能な広告表示プログラムであつて、テレビジョン放送信号を受信する処理と、受信されたテレビジョン放送信号に含まれる番組情報、コマーシャル情報および広告情報を記憶する処理と、番組またはコマーシャルの再生を指令する処理と、再生の指令に応答して記憶される番組情報およびコマーシャル情報を順次読み出して第１の表示画面に表示させ、番組情報が第１の表示画面に表示されかつコマーシャル情報が第１の表示画面に表示されなかった場合に記憶手段に記憶された広告情報を読み出して第２の表示画面に表示させる処理とを、コンピュータに実行させることを特徴とする広告表示プログラム。
【００３２】
第３の発明に係る広告表示プログラムにおいては、テレビジョン放送信号が受信され、受信されたテレビジョン放送信号に含まれる番組情報、コマーシャル情報および広告情報が記憶される。テレビジョン放送信号に基づく番組またはコマーシャルの再生が指令され、再生の指令により記憶される番組情報およびコマーシャル情報が順次読み出される。読み出された番組情報およびコマーシャル情報は第１の表示画面に表示される。番組情報が第１の表示画面に表示されかつコマーシャル情報が第１の表示画面に表示されなかった場合、記憶された広告情報が第２の表示画面に表示される。
【００３３】
これにより、視聴者が記録した番組情報に基づく番組を視聴している際に、コマーシャル情報に基づくコマーシャルをスキップまたは早送りした場合でも広告情報が表示されるので、番組のスポンサは確実に自社の広告を視聴者に提示することができる。また、番組のスポンサは第２の表示画面に表示される広告情報の表示形態を自由に決定できるので、より効果的な自社広告を行うことができる。さらに、デジタル放送による蓄積放送が、より効果的に行われる。
【００３４】
【発明の実施の形態】
以下に、図１〜図１６に基づき本発明の一実施の形態に係る広告表示装置、広告表示方法および広告表示プログラムについて説明する。本実施の形態では、広告表示装置はテレビジョン（以下、ＴＶと略記する。）受像機である。
【００３５】
初めに、図１に基づき本実施の形態に係る広告表示装置を用いた場合のＴＶ放送の放送形態について説明する。
【００３６】
本実施の形態において、ＴＶ放送は、放送局が視聴者に対し、ＴＶ番組情報およびスポンサ広告情報を送信することにより行われる。ここで、ＴＶ番組情報は、ＴＶ番組内容（以下、コンテンツと呼ぶ。）情報およびコンテンツに挿入されるスポンサのコマーシャル（以下、ＣＭと略記する。）情報を含む。また、スポンサ広告情報は、スポンサによる視聴者への宣伝広告を含む。宣伝広告には文字広告やバナー広告等の各種広告手段が含まれる。
【００３７】
ここで、本実施の形態において、コンテンツ情報は番組情報に相当し、ＣＭ情報はコマーシャル情報に相当し、スポンサ広告情報は広告情報に相当し、コンテンツ情報およびＣＭ情報を含むＴＶ番組情報とスポンサ広告情報とが、テレビジョン放送信号を形成する。
【００３８】
また、以下の説明において、コンテンツ情報に基づいて本実施の形態に係る広告表示装置に提示される内容をコンテンツと呼び、ＣＭ情報に基づいて本実施の形態に係る広告表示装置に提示される内容をＣＭと呼ぶ。なお、コンテンツは番組に相当し、ＣＭはコマーシャルに相当する。
【００３９】
図１は、本実施の形態に係る広告表示装置を用いた放送システムを示す概略図である。
【００４０】
図１において、視聴者６０２は、予めメーカ６０１より本実施の形態に係る広告表示装置を購入Ｎ１している。また、スポンサ６０３は、予め放送局６０４と特定のコンテンツの提供を契約Ｎ２する。さらに、スポンサ６０３は、予めインターネット６０６を用いてホームページ（以下、ＨＰと略記する。）による自社広告Ｎ３を行っている。
【００４１】
スポンサ６０３は、コンテンツの提供を契約Ｎ２することにより、提供するコンテンツに自社のＣＭを挿入させることができる。さらに、スポンサ６０３は、放送局６０４に自社のＣＭを含むＴＶ番組情報のみならず自社のスポンサ広告情報を放送させることができる。
【００４２】
契約Ｎ２を行っている放送局６０４は、ＴＶ番組情報およびスポンサ広告情報を衛星６０５へ無線送信Ｎ４する。そこで、衛星６０５は、放送局６０４より受信したＴＶ番組情報およびスポンサ広告情報を各視聴者６０２へ無線送信Ｎ５する。
【００４３】
本実施の形態に係る広告表示装置を有する視聴者６０２は、広告表示装置を用いることにより、衛星６０５より無線送信Ｎ５されるＴＶ番組情報およびスポンサ広告情報を受信することができる。そして、視聴者６０２は、受信したＴＶ番組情報に基づいたコンテンツを視聴する。また、視聴者６０２は、受信したスポンサ広告情報に基づき広告表示装置をインタ−ネット６０６へ接続Ｎ６し、スポンサ６０３が提供するＨＰにアクセスすることができる。
【００４４】
次に、本実施の形態に係る広告表示装置の外観について図２および図３に基づき説明する。
【００４５】
図２は、本実施の形態に係る広告表示装置の外観斜視図である。
図２によれば、広告表示装置１は本体部１Ａおよびリモートコントローラ７０を含み、本体部１Ａにはアンテナケーブル９１、回線ケーブル９２および電源ケーブル９３が接続されている。また、本体部１Ａの外殻は、主として外部ケーシング１５０、大型画面１１１および小型画面１２１により形成されている。上記に示す各部の詳細については後述する。
【００４６】
図３は、本実施の形態に係る広告表示装置１に備えられるリモートコントローラの一例を示す模式的外観図である。
【００４７】
図３において、リモートコントローラ７０は電源スイッチ７１、チャンネル変更スイッチ７２ａ，７２ｂ、音量調整スイッチ７３、大型画面操作パネル７４、小型画面操作パネル７５、文字入力パネル７６および記録再生操作パネル７７を含む。
【００４８】
大型画面操作パネル７４は複数のカーソルボタン７４ａおよび決定ボタン７４ｂを含み、小型画面操作パネル７５は複数のカーソルボタン７５ａおよび決定ボタン７５ｂを含み、文字入力パネル７６は複数の入力ボタンを含み、記録再生操作パネル７７は再生ボタン７７ａ、早送りボタン７７ｂおよび停止ボタン７７ｃを含む。
【００４９】
広告表示装置１を使用する視聴者は、電源スイッチ７１を押下操作することにより、図２の本体部１Ａの電源を「オン」または「オフ」することができる。また、視聴者は、チャンネル変更ボタン７２ａ，７２ｂを押下操作することにより、受信チャンネルを変更して所望のコンテンツを視聴することができる。さらに、視聴者は、音声調整スイッチ７３を押下操作することにより、広告表示装置１より出力される音量の調整を行うことができる。
【００５０】
ここで、本実施の形態に係る広告表示装置１は、図２に示すように大型画面１１１および小型画面１２１を備えている。そして、大型画面１１１および小型画面１２１のそれぞれには、後述するように視聴者による操作に応じて操作ウィンドウが表示される。
【００５１】
視聴者は、大型画面１１１に表示される操作ウィンドウを操作する場合、リモートコントローラ７０の大型画面操作パネル７４に備えられた各種ボタンを押下操作する。また、視聴者は、小型画面１２１に表示される操作ウィンドウを操作する場合、リモートコントローラ７０の小型画面操作パネル７５に備えられた各種ボタンを押下操作する。なお、本実施の形態に係る広告表示装置１のリモートコントローラ７０においては、大型画面操作パネル７４と小型画面操作パネル７５とを一体とし、そこに操作対象となる画面の切替えを設定可能なファンクションキーを設けてもよい。この場合、視聴者は、ファンクションキーを押下操作することにより大型画面１１１および小型画面１２１に表示される操作ウィンドウを操作することができる。
【００５２】
ところで、視聴者は、大型画面１１１および小型画面１２１が表示する操作ウィンドウに対し文字入力等を行う場合がある。この場合、視聴者は、文字入力パネル７６に備えられた複数の入力ボタンを押下操作することにより操作ウィンドウに対して文字入力等を行う。視聴者が、操作ウィンドウに表示される操作画面の操作時に文字入力を行う場合の動作については後述する。
【００５３】
本実施の形態に係る広告表示装置１は、内部に後述の外部記憶装置を有しており、放送局より放送されるＴＶ番組情報およびスポンサ広告情報を記憶し、出力することができる。換言すれば、広告表示装置１は、コンテンツの記録再生機能を有する。また、広告表示装置１は、視聴者が特定のコンテンツを記録する場合に、上述のＴＶ番組情報とともにスポンサ広告情報も外部記憶装置に記憶する。
【００５４】
視聴者は、コンテンツの記録および記録したコンテンツの再生等を行う場合、図３のリモートコントローラ７０の記録再生操作パネル７７に備えられた各種ボタンを押下操作する。
【００５５】
以下に、広告表示装置１の大型画面１１１および小型画面１２１に表示される各種画像の表示形態を図４〜図１０に基づき説明する。
【００５６】
ここで、以下の説明において、スキップとはビデオテープに記録された映像信号の一部を飛び越して（省略して）再生することをいい、スキップ時において、視聴者は映像を得ることはできない。また、早送りとはビデオテープに記録された映像信号の一部を断片的に省略して再生することをいい、早送り時において、視聴者は連続的に再生状態となった映像を得ることができる。
【００５７】
図４は、視聴者がコンテンツをリアルタイムに視聴する場合の図２の大型画面１１１および小型画面１２１の画像表示形態の一例を示す模式図である。
【００５８】
視聴者は、コンテンツをリアルタイムに視聴する場合、図３のリモートコントローラ７０のチャンネル変更ボタン７２ａ，７２ｂを押下操作することにより所望のコンテンツが放映されているチャンネルを選択する。
【００５９】
この場合、図２の大型画面１１１には、図４に示すように現在放送されているコンテンツＳＡ１が表示される。また、図２の小型画面１２１には、何も表示されず、ブラックアウトＳＢ１の状態となっている。
【００６０】
ここで、視聴者が上述の広告表示装置１が有する記録再生機能を用いて、記録したコンテンツＳＡ１を視聴する場合の大型画面１１１および小型画面１２１の画像表示形態について説明する。コンテンツＳＡ１を記録するとは、コンテンツＳＡ１に対応するＴＶ番組情報とスポンサ広告情報とを記録することを意味する。
【００６１】
視聴者は、記録したコンテンツＳＡ１を視聴する場合、図３のリモートコントローラ７０の記録再生パネル７７に備えられた再生ボタン７７ａを押下操作する。これにより、リモートコントローラ７０は、広告表示装置１へ記録したコンテンツＳＡ１を再生する旨の信号を送信する。そして、リモートコントローラ７０より記録したコンテンツＳＡ１を再生する旨の信号を受けた広告表示装置１は、コンテンツＳＡ１を含むＴＶ番組情報に基づいて図４に示すように大型画面１１１に記録したコンテンツＳＡ１を表示する。この場合においても、小型画面１２１は図４に示す通りブラックアウトＳＢ１の状態である。
【００６２】
次に、視聴者が、記録したコンテンツを視聴している際に、コンテンツの一部またはコンテンツに挿入されているＣＭ部分を早送りする場合について図５に基づき説明する。
【００６３】
図５は、視聴者が記録したコンテンツＳＡ１の一部またはＣＭ部分を早送りして視聴する場合の図２の大型画面１１１および小型画面１２１の画像表示形態の一例を示す模式図である。
【００６４】
視聴者は、記録したコンテンツＳＡ１の一部またはＣＭ部分を早送りしたい場合、図３のリモートコントローラ７０の早送りボタン７７ｂを押下する。これにより、リモートコントローラ７０は、再生しているコンテンツＳＡ１の一部またはＣＭ部分を早送りする旨の信号を広告表示装置１に送信する。そして、再生しているコンテンツＳＡ１の一部またはＣＭ部分を早送りする旨の信号を受けた広告表示装置１は、再生しているコンテンツＳＡ１の一部またはＣＭ部分の早送りを行う。この場合、大型画面１１１に表示されるコンテンツＳＡ１の一部またはＣＭ部分は図５に示すように早送り状態ＳＡ２となる。
【００６５】
さらに、リモートコントローラ７０より再生しているコンテンツＳＡ１の一部またはＣＭ部分を早送りする旨の信号を受けた広告表示装置１は、図５に示すように小型画面１２１にスポンサ広告情報に基づく宣伝広告ＳＢ２を表示させる。なお、宣伝広告ＳＢ２は、早送りされることなく小型画面１２１に表示される。
【００６６】
上記の宣伝広告ＳＢ２は、コンテンツを提供するスポンサの意向により、文字広告またはバナー広告等様々な表示形態で表示される。なお、小型画面１２１に表示される各種宣伝広告ＳＢ２は文字広告またはバナー広告に限らず、小型画面１２１に表示できるものであればどのような表示形態を有してもよい。以下に、図６に基づき宣伝広告ＳＢ２の各種表示形態について説明する。
【００６７】
図６は、図２の小型画面１２１に表示される宣伝広告ＳＢ２の各種画像表示形態の例を示す模式図である。
【００６８】
図６（ａ）の表示形態によれば、図２の小型画面１２１には、宣伝広告ＳＢ２として、スポンサの最新商品についての文字広告が表示されている。この場合、文字広告はスクロールしてもよい。
【００６９】
図６（ｂ）の表示形態によれば、図２の小型画面１２１には、宣伝広告ＳＢ２として、上述の操作ウィンドウＳＷ１と、操作ウィンドウＳＷ１の操作案内とが表示されている。さらに、操作ウィンドウＳＷ１には、コンテンツＳＡ１に提供を行っているスポンサ各社のＨＰへリンク可能なバナー広告ＳＣ１が含まれている。
【００７０】
小型画面１２１にこのような表示が行われた場合、視聴者は、図３のリモートコントローラ７０の小型画面操作パネル７５を操作することにより特定のバナー広告ＳＣ１を選択し、インターネットを介してスポンサ６０３のＨＰにアクセスすることができる。また、選択されたバナー広告ＳＣ１に対応するリンク情報が保存される。
【００７１】
図６（ｃ）の表示形態によれば、図２の小型画面１２１には、宣伝広告ＳＢ２として、上述の操作ウィンドウＳＷ１と、操作ウィンドウＳＷ１の操作案内とが表示される。さらに、操作ウィンドウＳＷ１には、コンテンツＳＡ１に提供を行っているスポンサ各社の最新商品についてのＨＰへリンク可能なバナー広告ＳＣ２が含まれる。
【００７２】
上記において、図６（ａ），（ｂ），（ｃ）に示す各種表示形態は経時的に切替るものであってもよい。
【００７３】
小型画面１２１にこのような表示が行われた場合、視聴者は、図３のリモートコントローラ７０の小型画面操作パネル７５を操作することにより特定のバナー広告ＳＣ２を選択し、インターネットを介して自己の関心のある最新商品の情報が提示されたスポンサ６０３のＨＰにアクセスすることができる。
【００７４】
図７は、視聴者が記録したコンテンツＳＡ１の一部またはＣＭ部分を一度早送りした後再び再生して視聴する場合の図２の大型画面１１１および小型画面１２１の画像表示形態の一例を示す模式図である。
【００７５】
上述の宣伝広告ＳＢ２は、視聴者が記録したコンテンツＳＡ１の一部またはＣＭ部分を一度早送りすることにより小型画面１２１に表示される。また、画面が２つある場合は、視聴者が記録したコンテンツＳＡ１の再生を開始した時点から宣伝広告ＳＢ２の小型画面１２１による表示が行われてもよい。そして、宣伝広告ＳＢ２の小型画面１２１による表示は、視聴者が記録再生パネル７７に備えられた停止ボタン７７ｃを押下操作して記録したコンテンツＳＡ１の再生を完全に停止させるまで継続する。
【００７６】
例えば、視聴者が記録したコンテンツＳＡ１の一部またはＣＭ部分を早送りして再び再生した場合、大型画面１１１にはコンテンツＳＡ１が再び再生され、小型画面１２１には図７に示すように宣伝広告ＳＢ２が継続して表示される。
【００７７】
ここで、大型画面１１１および小型画面１２１の画像表示形態が図５または図７に示す状態において、視聴者が小型画面１２１に表示されるバナー広告ＳＣ１，ＳＣ２を図３のリモートコントローラ７０により選択した場合について説明する。
【００７８】
視聴者が小型画面１２１に表示される特定のバナー広告ＳＣ１，ＳＣ２をリモートコントローラ７０の小型画面操作パネル７５により選択した場合、小型画面１２１は、図８に示すＨＰ閲覧案内画面ＳＢ３を表示する。
【００７９】
図８は、視聴者が特定のバナー広告ＳＣ１，ＳＣ２を選択することにより図２の小型画面１２１に表示される画像表示形態の一例を示す模式図である。
【００８０】
図８によれば、小型画面１２１には、視聴者が選択したバナー広告ＳＣ１，ＳＣ２に対応するＨＰをいつ見るかについての案内を行うＨＰ閲覧案内画面ＳＢ３が表示されている。ここで、ＨＰ閲覧案内画面ＳＢ３には、視聴者に対し選択したＨＰをすぐに見るか否かについての案内情報と、その回答を視聴者に選択させる選択ボタンＳＣ３とが含まれている。
【００８１】
図９は、視聴者が、図８に示すＨＰ閲覧案内画面ＳＢ３において、選択したＨＰをすぐに見る旨の選択ボタンＳＣ３を選択した場合の図２の大型画面１１１および小型画面１２１の画像表示形態の一例を示す模式図である。
【００８２】
視聴者が図８に示すＨＰ閲覧案内画面ＳＢ３において、選択したＨＰをすぐに見る旨の選択ボタンＳＣ３を選択した場合、広告表示装置１は、コンテンツＳＡ１の再生を一時停止する。
【００８３】
そして、広告表示装置１は、図２の回線ケーブル９２を介して図１のインターネット６０６へ接続し、視聴者の選択したバナー広告ＳＣ１，ＳＣ２に基づくＨＰの情報が記憶されたサーバまたはスポンサのコンピュータにアクセスする。その後、広告表示装置１は、大型画面１１１に視聴者の選択したＨＰ画像ＳＡ３を表示する。この場合、広告表示装置１は、ＨＰに応じて音声出力も行うことができる。
【００８４】
さらに、広告表示装置１は上記の一連の動作時において、小型画面１２１にＨＰ閲覧終了案内画面ＳＢ４を表示させている。この、ＨＰ閲覧終了案内画面ＳＢ４は、ＨＰ画像ＳＡ３を閲覧している視聴者が、ＨＰ画像ＳＡ３の閲覧を終了したい場合に用いるものである。
【００８５】
図９によれば、ＨＰ閲覧終了案内画面ＳＢ４は、ＨＰ閲覧終了ボタンＳＣ４を含む。
【００８６】
視聴者は、ＨＰ画像ＳＡ３の閲覧時に再び記録したコンテンツＳＡ１を視聴したくなった場合、リモートコントローラ７０の小型画面操作パネル７５を操作して図９のＨＰ閲覧終了ボタンＳＣ４を選択する。
【００８７】
これにより、広告表示装置１は、一時停止したコンテンツＳＡ１の再生を再開し、大型画面１１１にコンテンツＳＡ１を表示する。そして、小型画面１２１に上述の宣伝広告ＳＢ２を提示する。この場合の図２の大型画面１１１および小型画面１２１の表示状態の一例は図７に示すとおりである。
【００８８】
広告表示装置１の大型画面１１１に表示されるＨＰ画像ＳＡ３には、視聴者の選択したＨＰにより操作ウィンドウ（図示せず）が表示される場合がある。この場合、視聴者は、上述のリモートコントローラ７０の大型画面操作パネル７４を用いて操作ウィンドウの操作を行う。また、大型画面１１１に表示されるＨＰ画像ＳＡ３に文字入力用のスペース等が設けられている場合、視聴者は上述の文字入力パネル７６を用いて文字入力を行う。
【００８９】
図１０は、視聴者が、図８に示すＨＰ閲覧案内画面ＳＢ３において、選択したＨＰをすぐに見ない旨の選択ボタンＳＣ３を選択した場合の図２の大型画面１１１および小型画面１２１の表示状態の一例を示す模式図である。
【００９０】
視聴者が、図８に示すＨＰ閲覧案内画面ＳＢ３において、選択したＨＰ画像ＳＡ３をすぐに見ない旨の選択ボタンＳＣ３を選択した場合、広告表示装置１は、図１０に示すように大型画面１１１にコンテンツＳＡ１の再生を継続する。
【００９１】
一方で、広告表示装置１は、小型画面１２１に表示している図８のＨＰ閲覧案内画面ＳＢ３の画面表示を切替え、再び上述の宣伝広告ＳＢ２を表示させるとともに、小型画面の一部にＨＰ閲覧開始ボタンＳＣ５を表示する。この場合の広告表示装置１の大型画面１１１および小型画面１２１の表示形態の一例は、図１０に示すとおりである。
【００９２】
視聴者は、コンテンツＳＡ１の再生時に、自己の選択したバナー広告ＳＣ１，ＳＣ２に基づくＨＰを見たくなった場合、リモートコントローラ７０の小型画面操作パネル７５を操作して図１０のＨＰ閲覧開始ボタンＳＣ５を選択する。これにより、広告表示装置１は、コンテンツＳＡ１の再生を一時停止する。
【００９３】
ここで、広告表示装置１は、視聴者が図８に示すＨＰ閲覧案内画面ＳＢ３において、選択したバナー広告ＳＣ１，ＳＣ２に基づくＨＰをすぐに見る旨の選択ボタンＳＣ３を選択した場合と同様の画像表示動作を行う。この場合の、大型画面１１１および小型画面１２１の表示状態は、図９に示すとおりである。
【００９４】
以下に、本実施の形態に係る広告表示装置１の構成および動作について図１１〜図１３に基づき説明する。
【００９５】
図１１は、本実施の形態に係る広告表示装置１の構成を示すブロック図である。図１１によれば、広告表示装置１は、本体部１Ａおよびリモートコントローラ７０を備える。本体部１Ａは、アンテナケーブル９１を介してアンテナ１０に接続され、回線ケーブル９２を介して図１のインターネット６０６に接続されている。さらに、本体部１Ａは、チューナ１１、デコーダ２０、制御装置３０、指令受信部４０、オーディオビジュアル（以下、ＡＶと略記する。）デコーダ５０，６０、通信端末８０、大型表示装置１１０、音声出力装置１１５および小型表示装置１２０を含む。
【００９６】
ここで、制御装置３０の構成および各種動作の詳細について、図１２のブロック図に基づき説明する。
【００９７】
図１２は、本実施の形態に係る広告表示装置１の制御装置３０の構成を示すブロック図である。
【００９８】
図１２によれば、制御装置３０はＣＰＵ（中央演算処理装置）３０１、ＲＡＭ（ランダムアクセスメモリ）３０２、ＲＯＭ（リードオンリメモリ）３０３、外部記憶装置３０４、信号出力装置３０５およびインターフェイス部３０６を含む。なお、制御装置３０のインターフェイス部３０６は通信端末８０と接続されており、ＣＰＵ３０１と通信端末８０とを相互に接続する。さらに、制御装置３０の信号出力装置３０５は、ＡＶデコーダ５０，６０に接続されている。
【００９９】
図１２において、ＲＯＭ３０３にはシステムプログラムが記憶される。外部記憶装置３０４には、予め広告表示プログラムが記憶されている。広告表示プログラムを通信端末８０および回線ケーブル９２を通じてインターネット６０６からダウンロードして外部記憶装置３０４へ記憶してもよい。
【０１００】
ＣＰＵ３０１は、外部記憶装置３０４に記憶された広告表示プログラムを、ＲＡＭ３０２上で実行する。広告表示プログラムの詳細については後述する。
【０１０１】
また、外部記憶装置３０４は、ハードディスク装置等からなり、広告表示プログラムの他に、デコーダ２０により復号された後述のＴＶ放送信号を記憶する。
【０１０２】
信号出力装置３０５は、ＣＰＵ３０１の制御により、上述のデコーダ２０により復号された後述のＴＶ放送信号をＡＶデコーダ５０，６０に出力する。
【０１０３】
ここで、広告表示装置１の内部で処理される各種信号の流れおよび広告表示装置１内部の動作について図１１〜図１３に基づき説明する。
【０１０４】
図１１において、広告表示装置１は、図１の衛星６０５から無線送信Ｎ５されるＴＶ番組情報Ｇ１およびスポンサ広告情報Ｃ１をアンテナ１０を介して受信する。アンテナ１０により受信されたＴＶ番組情報Ｇ１およびスポンサ広告情報Ｃ１はアンテナケーブル９１を介して本体部１Ａに送られる。そして、ＴＶ番組情報Ｇ１およびスポンサ広告情報Ｃ１から、チューナ１１により選択されたチャンネルのＴＶ番組情報Ｇ２およびスポンサ広告情報Ｃ２が抽出される。
【０１０５】
ここで、コンテンツ情報とＣＭ情報とを含むＴＶ番組情報Ｇ２には、コンテンツに関するコンテンツ信号およびコンテンツに挿入されるＣＭ信号、コンテンツ信号とＣＭ信号とに付随する音声信号が含まれ、宣伝広告を含むスポンサ広告情報Ｃ２には宣伝広告に関する宣伝広告信号が含まれる。
【０１０６】
チューナ１１により抽出されたＴＶ番組情報Ｇ２およびスポンサ広告情報Ｃ２は、デコーダ２０に出力される。デコーダ２０は、ＴＶ番組情報Ｇ２およびスポンサ広告情報Ｃ２を復号し、図１３（ａ）に示すようなＴＶ放送信号Ｓ１を作成する。
【０１０７】
図１３は、本実施の形態に係る広告表示装置１の内部で伝達される各種信号の形態を示す模式図である。
【０１０８】
図１３（ａ）に示すＴＶ放送信号Ｓ１は、コンテンツ信号ＣＯおよびＣＭ信号ＣＭ１からなる映像信号Ｓ２、音声信号ＳＯおよび宣伝広告信号ＣＭ２を含む。
【０１０９】
図１３（ａ）に示すように、映像信号Ｓ２は、デコーダ２０がコンテンツ信号ＣＯおよびＣＭ信号ＣＭ１を合成することにより作成される。また、デコーダ２０により、音声信号ＳＯはＴＶ番組情報Ｇ２から、宣伝広告信号ＣＭ２はスポンサ広告情報Ｃ２から、それぞれ分離され、ＴＶ放送信号Ｓ１を構成する。
【０１１０】
デコーダ２０により作成されたＴＶ放送信号Ｓ１は、制御装置３０へ出力される。
【０１１１】
広告表示装置１の視聴者が、図１の放送局６０４により現在放送されているＴＶ番組を視聴している場合、図１２の制御装置３０のＣＰＵ３０１は、ＴＶ放送信号Ｓ１に含まれる映像信号Ｓ２、音声信号ＳＯおよび宣伝広告信号ＣＭ２を識別する。
【０１１２】
そして、図１２のＣＰＵ３０１は、ＴＶ放送信号Ｓ１を、図１３（ｂ）に示す映像信号Ｓ２および音声信号ＳＯの組み合わせと、図１３（ｃ）に示す宣伝広告信号ＣＭ２とに分離する。ＣＰＵ３０１は、映像信号Ｓ２および音声信号ＳＯを図１２の信号出力装置３０５へ出力する。信号出力装置３０５は、図１３（ｂ）の映像信号Ｓ２および音声信号ＳＯを図１１のＡＶデコーダ５０へ出力する。
【０１１３】
ＡＶデコーダ５０は、符号化されている映像信号Ｓ２を復号し、復号された映像信号ＤＳ２を大型表示装置１１０へ出力する。また、ＡＶデコーダ５０は、符号化されている音声信号ＳＯを復号し、復号された音声信号ＤＳＯを音声出力装置１１５へ出力する。これにより、大型表示装置１１０はコンテンツの映像を大型画面１１１に表示し、音声出力装置１１５はコンテンツの音声を出力する。
【０１１４】
次に、広告表示装置１の視聴者が放映されているコンテンツを記録する場合、再生して視聴する場合および記録したコンテンツの再生時に早送りする場合の広告表示装置１の動作について説明する。
【０１１５】
視聴者が図３のリモートコントローラ７０を用いて広告表示装置１にコンテンツを記録する旨の指令を行った場合、図１１の指令受信部４０はコンテンツを記録する旨の指令信号Ｒ１を制御装置３０に出力する。
【０１１６】
また、視聴者がリモートコントローラ７０を用いて広告表示装置１に記録したコンテンツを再生する旨の指令を行った場合、指令受信部４０は記録したコンテンツを再生する旨の指令信号Ｒ２を制御装置３０に出力する。
【０１１７】
さらに、視聴者がリモートコントローラ７０を用いて広告表示装置１に記録したコンテンツの一部またはＣＭ部分を早送りする旨の指令を行った場合、指令受信部４０は記録したコンテンツの一部またはＣＭ部分を早送りする旨の指令信号Ｒ３を制御装置３０に出力する。
【０１１８】
制御装置３０は、指令受信部４０よりコンテンツを記録する旨の指令信号Ｒ１を受信した場合、図１の放送局６０４により放送されているコンテンツを記録する動作を行う。
【０１１９】
図１２において、ＣＰＵ３０１は、指令受信部４０よりコンテンツを記録する旨の指令信号Ｒ１を受信した場合、記録対象となるコンテンツのＴＶ放送信号Ｓ１を外部記憶装置３０４に記憶する。
【０１２０】
その後、ＣＰＵ３０１は、指令受信部４０より記録したコンテンツを再生する旨の指令信号Ｒ２を受信した場合、外部記憶装置３０４に記憶されたＴＶ放送信号Ｓ１を読み込み、視聴者が現在放送されているコンテンツを視聴する場合のＣＰＵ３０１の動作と同様に映像信号Ｓ２および音声信号ＳＯを信号出力装置３０５へ出力する。信号出力装置３０５は、図１３（ｂ）の映像信号Ｓ２および音声信号ＳＯを図１１のＡＶデコーダ５０へ出力する。
【０１２１】
ＡＶデコーダ５０は、視聴者が現在放送されているコンテンツを視聴する場合の動作と同様の動作を行う。これにより、図１１の大型表示装置１１０はコンテンツの映像を大型画面１１１に表示し、図１１の音声出力装置１１５はコンテンツの音声を出力する。
【０１２２】
ここで、ＣＰＵ３０１は、指令受信部４０より記録したコンテンツの一部またはＣＭ部分を早送りする旨の指令信号Ｒ３を受信した場合、外部記憶装置３０４に記憶されたＴＶ放送信号Ｓ１を読み込み、映像信号Ｓ２および音声信号ＳＯの早送りの動作を行うとともに、ＴＶ放送信号Ｓ１に含まれる図１３（ｃ）の宣伝広告信号ＣＭ２を信号出力装置３０５へ出力する。信号出力装置３０５は、図１３（ｃ）の宣伝広告信号ＣＭ２を図１１のＡＶデコーダ６０へ出力する。ＡＶデコーダ６０は、符号化されている宣伝広告信号ＣＭ２を復号し、復号された映像信号ＤＣＭ２を小型表示装置１２０へ出力する。これにより、小型表示装置１２０は、宣伝広告の映像を表示する。
【０１２３】
このように、小型表示装置１２０は、記録したコンテンツの一部またはＣＭ部分を早送りする旨の指令信号Ｒ３が指令受信部４０から制御装置３０に送信された場合にのみ、宣伝広告信号ＣＭ２に基づく映像を表示する。
【０１２４】
本実施の形態において、広告表示装置１は、大型表示装置１１０および小型表示装置１２０を介して視聴者に各種選択ボタン等の操作画面を提示する。そして、図８に示すＨＰ閲覧案内画面ＳＢ３やＨＰ閲覧終了ボタンＳＣ４又はＨＰ閲覧開始ボタンＳＣ５等の情報は、図１３（ｄ）に示すような視聴者案内情報ＳＳ４として外部記憶装置３０４に予め記憶されている。
【０１２５】
ＣＰＵ３０１は、指令受信部４０より入力される視聴者からの各種指令情報に基づいて視聴者案内情報ＳＳ４を信号出力装置３０５を介してＡＶデコーダ５０，６０へ出力する。
【０１２６】
指令受信部４０より入力される視聴者からの各種指令情報としては、例えば、上述のバナー広告ＳＣ１，ＳＣ２の選択に関する情報または選択したバナー広告ＳＣ１，ＳＣ２に基づくＨＰの閲覧をいつするかについての回答に関する情報等が挙げられる。これにより、ＣＰＵ３０１は、各種指令情報に基づいてスポンサのＨＰを大型画面１１１に表示することができる。
【０１２７】
さらに、上記の広告表示装置１が図１のインターネット６０６に接続される場合、ＣＰＵ３０１は、通信端末８０およびインターフェイス部３０６を介してダウンロードされるスポンサのＨＰの情報を信号出力装置３０５を介してＡＶデコーダ５０，６０へ出力する。これにより、大型画面１１１または小型画面１２１にスポンサのＨＰが表示される。
【０１２８】
上記図１１〜図１３に基づく説明において、コンテンツ信号ＣＯおよびコンテンツ信号ＣＯに対応する音声信号ＳＯが番組情報に相当し、ＣＭ信号ＣＭ１およびＣＭ信号に対応する音声信号ＳＯがコマーシャル情報に相当し、宣伝広告信号ＣＭ２が広告情報に相当し、ＴＶ放送信号Ｓ１がテレビジョン放送信号に相当する。なお、ここでは音声信号ＳＯは、デコーダ２０で映像信号Ｓ２と分離する例として示されているが、ＡＶデコーダ５０までは映像と音声との合成されたストリームで処理し、ＡＶデコーダ５０で映像信号ＤＳ２および音声信号ＤＳＯに分離する構成としてもよい。
【０１２９】
最後に、広告表示プログラムに基づく制御装置３０の処理動作について図１４〜図１６に基づき説明する。
【０１３０】
図１４〜図１６は、視聴者が記録したコンテンツを再生および早送り再生する場合の広告表示プログラムに基づく制御装置３０の処理動作を示すフローチャートである。
【０１３１】
視聴者が、記録したコンテンツを再生または早送りする場合、制御装置３０のＣＰＵ３０１は広告表示プログラムに基づいて以下の動作を行う。
【０１３２】
初めに、ＣＰＵ３０１は、指令受信部４０より記録されたコンテンツを再生する旨の指令信号Ｒ２を受けたか否かを判別する（ステップＳ１１）。
【０１３３】
ＣＰＵ３０１は、指令受信部４０より記録したコンテンツを再生する旨の指令信号Ｒ２を受けた場合、外部記憶装置３０４に記憶されたコンテンツのＴＶ放送信号Ｓ１を読み込む（ステップＳ１２）。
【０１３４】
次に、ＣＰＵ３０１は、ステップＳ１２において読み込んだＴＶ放送信号Ｓ１に含まれる映像信号Ｓ２および音声信号ＳＯを信号出力装置３０５を介してＡＶデコーダ５０へ出力する（ステップＳ１３）。
【０１３５】
その後、ＣＰＵ３０１は、指令受信部４０より現在再生しているコンテンツの一部またはＣＭ部分を早送りする旨の指令信号Ｒ３を受けたか否かを判別する（ステップＳ１４）。
【０１３６】
ＣＰＵ３０１は、指令受信部４０より現在再生しているコンテンツの一部またはＣＭ部分を早送りする旨の指令信号Ｒ３を受けた場合、ステップＳ１２において読み込んだＴＶ放送信号Ｓ１に含まれる宣伝広告信号ＣＭ２を信号出力装置３０５を介してＡＶデコーダ６０へ出力する（ステップＳ１５）。
【０１３７】
ここで、ＣＰＵ３０１は指令受信部４０より、小型画面１２１に表示している特定のバナー広告を指定する旨の指令信号を受信したか否かを判別する（ステップＳ２１）。そして、ＣＰＵ３０１は、バナー広告を指定する旨の指令信号を受信していないと判別した場合、指令受信部４０より現在再生しているコンテンツの再生を停止する旨の指令信号を受けたか否かを判別する（ステップＳ１６）。
【０１３８】
ＣＰＵ３０１は、指令受信部４０より現在再生しているコンテンツの再生を停止する旨の指令信号を受けた場合、再生しているコンテンツに関する各種信号の信号出力装置３０５への出力を停止する（ステップＳ１７）。また、ＣＰＵ３０１は、指令受信部４０より現在再生しているコンテンツの再生を停止する旨の指令信号を受けていない場合、ステップＳ２１の動作を繰り返す。
【０１３９】
以上により、視聴者が記録したコンテンツの一部またはＣＭ部分を再生および早送りする場合の広告表示プログラムに基づく制御装置３０の処理が終了する。
【０１４０】
図１４のステップＳ２１において、制御装置３０のＣＰＵ３０１は、指令受信部４０より、小型画面１２１に表示している特定のバナー広告を指定する旨の指令信号を受信した場合、指定したバナー広告に基づくＨＰをすぐに見るか後で見るかの選択を求める視聴者案内情報ＳＳ４を外部記憶装置３０４より読み込んで、信号出力装置３０５を介してＡＶデコーダ６０へ出力する（ステップＳ２２）。
【０１４１】
その後、ＣＰＵ３０１は指令受信部４０よりＨＰをすぐに見る旨の指令信号を受けたか否かを判別する（ステップＳ２３）。
【０１４２】
ＣＰＵ３０１は、指令受信部４０よりＨＰをすぐに見る旨の指令信号を受けた場合、信号出力装置３０５への映像信号Ｓ２および音声信号ＳＯの出力を停止する（ステップＳ２５）。
【０１４３】
そして、ＣＰＵ３０１は、インターフェイス部３０６、通信端末８０および回線ケーブル９２を介してインターネット６０６に接続し、指定されたバナー広告のリンク先であるＨＰにアクセスし、ＨＰの情報を信号出力装置３０５を介してＡＶデコーダ５０へ出力する。さらに、ＣＰＵ３０１は、ＨＰの表示を終了するか否かの操作案内が含まれる視聴者案内情報ＳＳ４を外部記憶装置３０４より読み込んで信号出力装置３０５を介してＡＶデコーダ６０へ出力する（ステップＳ２６）。
【０１４４】
ＣＰＵ３０１は、指令受信部４０よりＨＰの表示を終了する旨の指令信号を受けたか否かを判別する（ステップＳ２７）。ＣＰＵ３０１は、指令受信部４０よりＨＰの表示を終了する旨の指令信号を受けた場合、信号出力装置３０５へのＨＰの情報の出力を停止して信号出力装置３０５への映像信号Ｓ２および音声信号ＳＯの出力を再開する（ステップＳ２８）。
【０１４５】
ここで、上記のステップＳ２３において、ＣＰＵ３０１は、指令受信部４０よりＨＰをすぐに見る旨の指令信号を受けない場合、指令受信部４０よりＨＰを後で見る旨の指令信号を受けたか否かを判別する（ステップＳ２４）。
【０１４６】
そして、ＣＰＵ３０１は、指令受信部４０よりＨＰを後で見る旨の指令信号を受けた場合、信号出力装置３０５への映像信号Ｓ２および音声信号ＳＯの出力を継続する。そして、ＨＰをすぐ見る旨の指令を求める情報が含まれた視聴者案内情報ＳＳ４を外部記憶装置３０４より読み込んで、信号出力装置３０５を介してＡＶデコーダ６０へ出力する（ステップＳ２４１）。
【０１４７】
その後、ＣＰＵ３０１は、指令受信部４０よりＨＰをすぐに見る旨の指令信号を受けたか否かを判別する（ステップＳ２４２）。
【０１４８】
ここで、ＣＰＵ３０１は、指令受信部４０よりＨＰをすぐに見る旨の指令信号を受けた場合、上述のステップＳ２５の動作を行う。
【０１４９】
以上が、視聴者が記録したコンテンツの一部またはＣＭ部分を再生および早送りする場合の広告表示プログラムに基づく制御装置３０の処理動作である。これにより視聴者は記録したコンテンツを視聴している際にコンテンツを提供しているスポンサのＨＰを視聴することができる。
【０１５０】
本実施の形態に係る広告表示装置１によれば、コンテンツの提供者であるスポンサ各社は、視聴者に確実に自社のＣＭを視聴させることが可能となる。さらに、スポンサ６０３各社は、例えば、図６（ａ），（ｂ），（ｃ）に示すように、ＣＭ等の宣伝広告を様々な表示形態で視聴者に視聴させることができるので、自社の宣伝広告をより効果的に行える。
【０１５１】
また、本実施の形態に係る広告表示装置１によれば、視聴者は、記録したＴＶ番組を視聴した後にまとめて宣伝広告を視聴することができるので、コンテンツに挿入されるＣＭのストレスを感じることなくコンテンツを楽しむことができる。そして、視聴者は、小型画面１２１に表示される宣伝広告についての詳細を知りたい場合、インターネット６０６を介して各社のＨＰから詳細な情報を得ることも可能である。
【０１５２】
本実施の形態に係る広告表示装置１によれば、デジタル放送による蓄積放送が、より効果的に行われる。
【０１５３】
本実施の形態において、大型表示装置１１０および小型表示装置１２０は、例えば、ブラウン管、プラズマディスプレイパネルまたは液晶画面からなり、音声出力装置１１５は例えば、スピーカからなる。
【０１５４】
本実施の形態において、小型表示装置１２０はスポンサの宣伝広告および視聴者に対する操作案内のために用いられているが、小型表示装置１２０に代えて大型表示装置１１０の大型画面１１１の一部を分割し、その一部に小型表示装置１２０の小型画面１２１に表示される各種内容を表示させてもよい。
【０１５５】
本実施の形態においては、アンテナケーブル９１およびアンテナ１０が受信手段に相当し、外部記憶装置３０４が記憶手段に相当し、大型画面１１１が第１の表示画面に相当し、小型画面１２１が第２の表示画面に相当し、大型表示装置１１０および小型表示装置１２０が表示手段に相当し、リモートコントローラ７０が再生指令手段に相当し、制御装置３０が制御手段に相当する。また、リモートコントローラ７０が早送り指令手段に相当し、回線ケーブル９２および通信端末８０が接続手段に相当し、大型表示装置１１０が第１の表示装置に相当し、小型表示装置１２０が第２の表示装置に相当し、大型表示装置１１０が表示装置に相当する。
【０１５６】
【発明の効果】
本発明に係る広告表示装置においては、テレビジョン放送信号が受信手段により受信され、受信されたテレビジョン放送信号に含まれる番組情報、コマーシャル情報および広告情報が記憶手段により記憶される。テレビジョン放送信号に基づく番組またはコマーシャルの再生が再生指令手段により指令され、再生の指令により記憶手段に記憶される番組情報およびコマーシャル情報が順次読み出される。読み出された番組情報およびコマーシャル情報は第１の表示画面に表示される。番組情報が第１の表示画面に表示されかつコマーシャル情報が第１の表示画面に表示されなかった場合、記憶手段に記憶された広告情報が制御手段により第２の表示画面に表示される。
【０１５７】
これにより、視聴者が記録した番組情報に基づく番組を視聴している際にコマーシャル情報に基づくコマーシャルをスキップまたは早送りした場合でも広告情報が表示されるので、番組のスポンサは確実に自社の広告を視聴者に提示することができる。また、番組のスポンサは第２の表示画面に表示される広告情報の表示形態を自由に決定できるので、より効果的な自社広告を行うことができる。さらに、デジタル放送による蓄積放送が、より効果的に行われる。
【図面の簡単な説明】
【図１】本実施の形態に係る広告表示装置を用いた放送システムを示す概略図
【図２】本実施の形態に係る広告表示装置の外観斜視図
【図３】本実施の形態に係る広告表示装置に備えられるリモートコントローラの一例を示す模式的外観図
【図４】視聴者がコンテンツをリアルタイムに視聴する場合の図２の大型画面および小型画面の画像表示形態の一例を示す模式図
【図５】視聴者が記録したコンテンツの一部またはＣＭ部分を早送り再生して視聴する場合の図２の大型画面および小型画面の画像表示形態の一例を示す模式図
【図６】図２の小型画面に表示される宣伝広告の各種画像表示形態の例を示す模式図
【図７】視聴者が記録したコンテンツの一部またはＣＭ部分を一度早送りした後再び再生して視聴する場合の図２の大型画面および小型画面の画像表示形態の一例を示す模式図
【図８】視聴者が特定のバナー広告を選択することにより図２の小型画面に表示される画像表示形態の一例を示す模式図
【図９】視聴者が、図８に示すＨＰ閲覧案内画面において、選択したＨＰをすぐに見る旨の選択ボタンを選択した場合の図２の大型画面および小型画面の画像表示形態の一例を示す模式図
【図１０】視聴者が図８に示すＨＰ閲覧案内画面において、選択したＨＰをすぐに見ない旨の選択ボタンを選択した場合の図２の大型画面および小型画面の表示状態の一例を示す模式図
【図１１】本実施の形態に係る広告表示装置の構成を示すブロック図
【図１２】本実施の形態に係る広告表示装置の制御装置の構成を示すブロック図
【図１３】本実施の形態に係る広告表示装置の内部で伝達される各種信号の形態を示す模式図
【図１４】視聴者が記録したコンテンツを再生および早送りする場合の広告表示プログラムに基づく制御装置の処理動作を示すフローチャート
【図１５】視聴者が記録したコンテンツを再生および早送りする場合の広告表示プログラムに基づく制御装置の処理動作を示すフローチャート
【図１６】視聴者が記録したコンテンツを再生および早送りする場合の広告表示プログラムに基づく制御装置の処理動作を示すフローチャート
【符号の説明】
１０  アンテナ
３０  制御装置
７０  リモートコントローラ
８０  通信端末
９１  アンテナケーブル
９２  回線ケーブル
１１０  大型表示装置
１１１  大型画面
１２０  小型表示装置
１２１  小型画面
３０４  外部記憶装置
ＣＭ１  ＣＭ信号
ＣＭ２  宣伝広告信号
ＣＯ  コンテンツ信号
Ｓ１  ＴＶ放送信号
ＳＡ１  コンテンツ
ＳＯ  音声信号
【図１】
2004159005.tif 000003
【図２】
2004159005.tif 000004
【図３】
2004159005.tif 000005
【図４】
2004159005.tif 000006
【図５】
2004159005.tif 000007
【図６】
2004159005.tif 000008
【図７】
2004159005.tif 000009
【図８】
2004159005.tif 000010
【図９】
2004159005.tif 000011
【図１０】
2004159005.tif 000012
【図１１】
2004159005.tif 000013
【図１２】
2004159005.tif 000014
【図１３】
2004159005.tif 000015
【図１４】
2004159005.tif 000016
【図１５】
2004159005.tif 000017
【図１６】
2004159005.tif 000018